(57)【要約】【課題】新しい放送波を受信するために対応した信号処理装置を，従来からあるテレビ受信システムに大幅な改修工事をせずとも，簡単に介設可能にする。【解決手段】取付け側を底面とした場合，ケースの一側面に複数の端子を備えた信号処理装置１において，上記側面における長手方向の一方側には入力端子２を，他方側には出力端子３を，上記入力端子２と出力端子３との間には電源供給端子４を配置すると共に，上記信号処理装置１への電源供給は，上記電源供給端子４を通して外部からの電源供給によって行うと共に，出力端子４と入力端子２との間は電流通過可能とする。【選択図】  図１
2004336257.tif 000002
【特許請求の範囲】
【請求項１】
取付け側を底面とした場合，ケースの一側面に複数の端子を備えた信号処理装置において，
上記側面における長手方向の一方側には入力端子を，他方側には出力端子を，上記入力端子と出力端子との間には電源供給端子を配置すると共に，
上記信号処理装置への電源供給は，上記電源供給端子を通して外部からの電源供給によって行うように構成したことを特徴とした信号処理装置。
【請求項２】
上記信号処理装置への電源供給は，上記電源供給端子からか，上記出力端子からかを，選択手段を用いて選択自在にするよう構成されたことを特徴とした請求項１に記載の信号処理装置。
【請求項３】
上記信号処理装置には，出力端子と入力端子との間に電流通過回路を備えたことを特徴とした請求項１及び請求項２に記載の信号処理装置。
【請求項４】
上記信号処理装置の，入力端子，出力端子，及び電源供給端子は，Ｆ型コネクターであることを特徴とした請求項１乃至請求項３のいずれかに記載の信号処理装置。
【請求項５】
上記信号処理装置は，オフセットビートキャンセラーであることを特徴とした請求項１乃至請求項４のいずれかに記載の信号処理装置。
【発明の詳細な説明】
【０００１】
【発明の属する技術分野】
本発明は，取付け側を底面とした場合，ケースの１側面に複数の端子を備えた信号処理装置に関する。
【０００２】
【従来の技術】
従来の信号処理装置には，当該信号処理装置に内蔵してある電気回路と電気的に接続するための端子が複数個設けられている。このような端子は，取付け側を底面とした場合，ケースの側面や正面にまとめて配置されるのが普通である。これは，上記信号処理装置の設置場所を広範囲に対応させるために必要なことであり，例えば，屋内にも屋外にも取付けにも対応可能なようにするためには，端子の配置場所を側面側に集中させることで，防水対策や防塵対策が容易にすることができるのである。
更に詳しく言えば，ＡＣ１００Ｖ方式の信号処理装置の場合，ケース本体の一方側側から外部にＡＣコードを導出すると共に，その近くに入力用あるいは出力用の同軸ケーブルを接続するための端子を備えさせている。（例えば，特許文献１参照）
同様に，出力端子に重畳される電源で動作する低電圧型の信号処理装置においても，ケース本体の一方側側に入力用あるいは出力用の同軸ケーブルを接続するための端子を備えさせている。
【０００３】
特開平０７−２８８３８９号公報
【０００４】
【発明が解決しようとする課題】
ところが，例えばＶＨＦ放送やＵＨＦ放送の地上波放送ばかりでなく衛星からの放送を受信しているシステムにおいて，地上波デジタル放送の新しい放送を受信する必要が生じた場合，これに対応するために新しく受信システムを設置する方法が考えられるが，この方法はコストがかかる。そこで既にある受信システムに，大幅な改修工事をすること無しに，必要な信号処理装置を取付けるだけで，簡単に対応させることが望まれる。テレビ受信システムの例でいえば，例えば，当該システムにおける受信信号を屋外から屋内に引き込むための伝送線に，上記信号処理装置を介設するだけで，新しい放送波がきれいに見られると言った方法が良い。このためには上記信号処理装置を動作させるための電源供給方法が問題となる。例えば，上記伝送線に重畳された電源によって，上記信号処理装置を動作させようとすると，従来のシステムを動作させていた電源供給器の定格容量を越えてしまうといった問題があった。また，上記信号処理装置をＡＣ１００Ｖ方式で構成する方法では，ＡＣ電源の配線が済んでいるところに取付ける必要があり，設置場所が限定されたり，これに対応するために，新たにＡＣ電源の配線を行う方法ではコストアップとなったり，簡単な工事ではすまないと言った問題があった。
そこで本発明においては，こうした問題点を解決するためになされたものであり，
その目的は，テレビ受信システムに適した信号処理装置を提供することにある。
他の目的は，既設のテレビ受信システムに容易に介設可能な信号処理装置を提供することにある。
他の目的は，取付け側を底面とした場合，ケースの１側面に複数の端子を備えた信号処理装置において，上記側面における長手方向の一方側には入力端子を，他方側には出力端子を，上記入力端子と出力端子との間には電源供給端子を配置した信号処理装置を提供することにある。
他の目的は，外部からの電源供給を受けるための電源供給端子を備え，この電源供給端子を介して供給された電源によって動作する信号処理装置を提供することにある。
他の目的は，外部からの電源供給を受けるための電源供給端子を備え，この電源供給端子を介して供給された電源によって動作すると共に，出力端子から入力端子に電流通過可能な信号処理装置を提供することにある。
他の目的は，外部からの電源供給によって動作するか，出力端子に接続された伝送線に重畳された電源によって動作するかを，選択的に選択可能な信号処理装置を提供することにある。
【０００５】
【課題を解決するための手段】
上記課題を解決するために，請求項１の発明は，取付け側を底面とした場合，ケースの一側面に複数の端子を備えた信号処理装置において，上記側面における長手方向の一方側には入力端子を，他方側には出力端子を，上記入力端子と出力端子との間には電源供給端子を配置すると共に，上記信号処理装置への電源供給は，上記電源供給端子を通して外部からの電源供給によって行うように構成した。
【０００６】
請求項２の発明は，上記信号処理装置への電源供給は，上記電源供給端子からか，上記出力端子からかを，選択手段を用いて選択自在にするよう構成する。
【０００７】
請求項３の発明は，上記信号処理装置には，出力端子と入力端子との間に電流通過回路を備えた。
【０００８】
請求項４の発明は上記信号処理装置の，入力端子，出力端子，及び電源供給端子は，Ｆ型コネクターであるように構成される。
【０００９】
請求項５の発明は上記信号処理装置はオフセットビートキャンセラーであるように構成される。
【００１０】
【発明の実施の形態】
以下に，本発明を具体化した実施形態の１例を，図面を基に詳細に説明する。図１は本発明における信号処理装置の実施例の外観図である。図２は本発明の信号処理装置の実施例を示すブロック図及び端子の配置を示す図，図３は本願の実施例の信号処理装置を用いたシステム例を示す。図４は本発明の信号処理装置を用いた他のシステム例を示す。図５は本発明の信号処理装置の，他の実施例を示すブロック図及び端子の配置を示す図。
【００１１】
先ず，図２，３を基に第１の実施例について説明する。１は信号処理装置であり，本願の実施例ではオフセットビートキャンセラーを代表として例示する。このオフセットビートキャンセラー１は，地上波デジタル放送開始に伴う，アナログ周波数変更対策（アナ・アナ変換）に用いられるもので，変更後におけるアナログ周波数帯の複数のチャンネルおいて，オフセットビート障害が発生したチャンネルの信号のビート成分を除去すると共に，当該チャンネルとは異なるチャンネルであって，既存のチャンネルとは異なるチャンネルに周波数変換して出力するよう構成されている。
【００１２】
オフセットビートキャンセラー１は，テレビ受信システム１００におけるＢＳ・ＣＳ衛星アンテナ１０３からの出力である中間周波数帯（以下，ＢＳ・ＣＳ−ＩＦ帯と記載する。）の信号は，入力端子２と電源フィルター１１と，１０３２ＭＨｚをカットオフ周波数とするハイパスフィルター２０（以下，ＨＰＦと記載する。）とで構成される，ＢＳ・ＣＳ−ＩＦ帯の信号入力経路を介して，ＢＳ・ＣＳ−ＩＦ帯の信号のパス回路２１を通過する。当該パス回路２１を通過したＢＳ・ＣＳ−ＩＦ帯の信号は，カットオフ周波数を１０３２ＭＨｚとするＨＰＦ２２と電源フィルター１２と出力端子３とで構成されるＢＳ・ＣＳ−ＩＦ帯の信号出力経路を介して端末側の伝送線に出力される。（第１の伝送経路）
【００１３】
次に，ＶＨＦアンテナ１０１，ＵＨＦアンテナ１０２で受信された信号は，入力端子２と電源フィルター１１と，７７０ＭＨｚをカットオフ周波数とするローパスフィルター１３（以下，ＬＰＦと記載する。）と，分配器１４とで構成される，ＶＨＦ・ＵＨＦ帯の信号入力経路を介して，ＶＨＦ・ＵＨＦ帯の信号パス回路１５に入力される。当該パス回路１５を通過したＶＨＦ・ＵＨＦ帯の信号は，混合器１６の一方の端子に入力される。（第２の伝送経路）
【００１４】
また，上記ＶＨＦ・ＵＨＦ帯の信号入力経路を構成する分配器１４のもう一方の端子を介して，上記ＶＨＦ・ＵＨＦ帯の信号経路を通過したＶＨＦ・ＵＨＦ信号が，信号処理回路１０に入力される。更に詳しく言えば，本発明の信号処理回路１０においては，ＵＨＦ帯の周波数帯（５９０〜７７０ＭＨｚ。ｃｈ３３〜ｃｈ６２）の中から，オフセットビート障害の発生した，特定の周波数帯の信号を選択的に取り入れて，上記特定の周波数帯の信号に生じたオフセットビート成分を除去する処理をすると共に，ＵＨＦ帯の周波数帯（４７０〜７７０ＭＨｚ。ｃｈ１３〜ｃｈ６２）の内から，上記特定の周波数とは異なる周波数帯であって，放送されていない周波数帯に変換するよう構成されている。こうして処理されたＵＨＦ帯の信号は，増幅回路１７によって，上記第２の伝送経路を通過した信号のレベルと略同レベルまで増幅された後，上記ＶＨＦ・ＵＨＦ帯の信号出力経路を構成する混合器１６のもう一方の端子に入力される。（第３の伝送経路）
増幅回路１７は，本願の実施例では増幅器１７ａ，１７ｂと，当該増幅器の間に接続された利得調整回路１７ｃとから構成されている。
【００１５】
こうして，第２の伝送経路と第３の伝送経路を通過した信号は，混合器１６によって混合された後，増幅回路１８で適宜増幅される。増幅器１８は，ＶＨＦ・ＵＨＦ帯の信号パス回路１５を通過する信号の入・出力経路の損失を補償すると共に，信号処理回路１０，増幅回路１７の経路を通過した信号を，最適な出力レベルまで増幅するためのものである。詳しく言えば，この信号処理装置１を，既設の受信システム１００におけるテレビ受信用増幅装置１０４の出力側に接続した場合，少なくとも当該テレビ受信用増幅装置１０４の出力レベルと略同じレベルの出力が上記信号処理装置１から出力されるように構成することで，既設のテレビ受信システム１００への設置を容易にするのである。
増幅された信号は，カットオフ周波数を７７０ＭＨｚとするＬＰＦ１９と，電源フィルター１２と，出力端子３とで構成される，ＶＨＦ・ＵＨＦ帯の信号出力経路を介して端末側の伝送線に出力される。（第４の伝送経路）
【００１６】
このように，第２，３，４の伝送経路が，分配器１４，混合器１６を用いて分配，混合する構成とした事で，信号処理が必要なチャンネルと，信号処理後のチャンネルが任意に設定することが可能になるのである。更に，出力信号にはオフセットビート障害のある処理前のチャンネルも出力されることから，この障害の処理後のチャンネルと視覚的に比較して効果が確認できると言った，従来のテレビ受信システムにおいて優れた効果が期待できるのである。
【００１７】
また，上記入力端子，電源供給端子，出力端子とを設けるに当たり，例えば信号処理装置の一側面の一方向側には入力端子，他方側には出力端子を配設してあり，その間隔を最大限に離すと共に，入力端子と出力端子との間に電源供給端子を備えさせることで，ブロック図に示す如く，高周波回路の配置，信号処理回路の配置，直流回路の配置が最適化された構成となっている。
【００１８】
尚，本発明の実施例において，分配器１４及び混合器１６は２端子を使用しているが，端子数は本願に実施例に限定されるものではない。即ち，複数本の端子の内，１つにはパス回路からなる第２の伝送経路を，残りの端子には上記信号処理回路１０及び増幅回路１７等からなる第３の伝送経路を複数経路設けるようにしても良い。
また，上記信号処理回路１０第３の伝送経路に１つだけの構成を示したが，シリーズに複数個接続して構成する方法でも良い。
更に，上記フィルターをＬＰＦ及びＨＰＦで構成する方法を示したが，テレビ受信システムの構成によっては，本発明の実施例に限定されるものではなく，他のフィルターを用いて構成しても良い。
【００１９】
この実施例において，４は外部電源供給端子，４ａは避雷回路であり，本図に示す実施例では，上記信号処理回路１０，増幅回路１７，１８は，外部電源供給端子４を介して，オフセットビートキャンセラー１の外部に接続された電源装置１１５から電源供給されるように構成されている。
また，電源フィルター１２と電源フィルター１１とは接続され，電流通過回路２５が形成されており，端末側から伝送線に重畳された直流電圧（例えば，ＤＣ１５Ｖ）を，出力端子３から入力端子２に電流通過して，入力端子２に接続された伝送線に出力する。
尚，電源フィルター１１，１２には，避雷回路を備えさせることで，テレビ受信システムの耐雷性能を更に強化することも可能である。
【００２０】
このように構成されたオフセットビートキャンセラー１を用いたテレビ受信システムについて更に詳しく説明する。
地上波デジタル放送の開始によって，ＵＨＦ帯のｃｈ１３〜ｃｈ３２にあったアナログ放送の信号は，周波数変更を行いｃｈ３３より高い周波数に移行することになった。しかしながら周波数変更を行わない従来のアナログ放送のチャンネルも，当分の間サイマル放送されることとなり，夫々の地域の状況に合わせて，テレビ受信システム１００を対応させる必要が生じた。
同一チャンネルによるオフセットビート障害に対する対応もこの対応の１つである。
【００２１】
例えば，ＶＨＦアンテナ１０１，ＵＨＦアンテナ１０２，ＢＳ・ＣＳアンテナ１０３を用いて，夫々の信号を受信して，１本の伝送線１０５で屋外から屋内に引き込んでいる，既設の受信システムシステム１００において，同一チャンネルによるオフセットビート障害が発生した場合について考える。
このシステム１００があるサービスエリアにおいて，従来から受信していた希望波であるアナログ放送波をｃｈ５０とする。新たにアナ・アナ変換によって近隣に始まった妨害波であるアナログ放送波がｃｈ５０（周波数オフセット，＋１０ＫＨｚ）であったとすると，希望波及び妨害波のＤ／Ｕによってはオフセットビート障害が発生する。このような状況における対策に，屋外から屋内に引き込むための伝送線１０５に，本発明の構成のオフセットビートキャンセラー１を介設することで，従来の受信システムに大幅な改修を加えることなく対応できるようにしたのが本発明の受信システムである。
【００２２】
即ち，伝送線１０５に伝送されている信号の内，ＢＳ・ＣＳ−ＩＦ帯の信号は，上記第１の伝送経路を介して出力される。ＶＨＦ帯の受信信号と，ＵＨＦ帯のオフセットビート障害が見られるｃｈ５０と，アナ・アナ変換によって新しく出た，妨害波であるｃｈ５０（周波数オフセット，＋１０ｋＨｚ）は上記第２の伝送線路を介して上記第４の伝送経路に入力される。また希望波であるｃｈ５０は第３の伝送経路において，オフセットビート障害を処理した後，上記ｃｈ５０とは異なる，例えばｃｈ４５に周波数変換され，適宜増幅された後，第４の伝送経路に入力される。
【００２３】
これらの信号は，第４の伝送経路を構成する混合器１６において混合され出力端子３に出力される。こうして出力された信号は，ＶＨＦ帯の信号，ＵＨＦ帯のオフセットビート障害対策をしたｃｈ４５，オフセットビート障害のあるｃｈ５０，アナ・アナ変換で追加されたｃｈ５０（周波数オフセット，プラス１０ｋＨｚ），ＢＳ・ＣＳ−ＩＦ帯の信号が，伝送線１０５，分配器１０６，テレビ端子１０７，端末側の電源供給器１０８，分波器１０９等を介してテレビ受像機１１０やＢＳ・ＣＳチューナ１１１に接続される。
【００２４】
更に，本発明のオフセットビートキャンセラー１の出力端子３と，入力端子２の間には，電流通過回路２５が形成されているため，上記端末側の電源供給器１０８から，オフセットビートキャンセラー１を設置したシステム１００における，テレビ受信用増幅装置１０４や衛星アンテナ１０３に備えられた衛星コンバーター１０３ａ等への電源供給が，従来からの設置状態のままで変更することなく使用できる。更に加えて，本発明のオフセットビートキャンセラー１を構成する信号処理回路１０，増幅回路１７，１８への電源供給は，外部に設けられたオフセットビートキャンセラー用の外部電源供給器１１５から，オフセットビートキャンセラー１に備えられた外部電源供給端子４を通して行う。本発明においては，この外部電源供給端子４はＦ型コネクターで構成されており，外部電源供給器１１５と外部電源供給端子４は，例えば同軸ケーブル１１６を介して接続する方法であるので，上記外部電源供給器１１５は商用電源が既に配線されている場所に設置すればよく，同軸ケーブル１１６の簡単な配線だけでオフセットビートキャンセラー１を動作させることができるのである。
【００２５】
図４は，第１の実施例のオフセットビートキャンセラー１を用いた，異なるシステムの実施例である。このシステム１２０においては，上記オフセットビートキャンセラー１をＵＨＦ帯の受信用アンテナ１０２と，テレビ受信用増幅装置４，若しくは図には示されていないが，ＶＨＦ・ＵＨＦ帯の信号とＢＳ・ＣＳ−ＩＦ帯の信号の混合器等との間を接続する同軸ケーブル１０２ａに介設する方法である。このシステムにおいては，オフセットビートキャンセラー１の電流通過回路２５は，有っても無くても良い。
【００２６】
図５は第２の実施例を示す。尚，以下の説明では，上記第１の実施形態と同様の構成要素については同一符号を付与し，詳細な説明は省略する。この実施例においては，第１の実施例の構成において，外部電源供給端子４及び出力端子３は，選択手段３０を介して信号処理回路１０，増幅回路１７，１８と接続したものである。この選択手段３０を外部電源供給端子側３０ａに選択したときは，上述に示す第１の実施例の如く，信号処理回路１０，増幅回路１７，１８への給電は，外部電源供給器１１５からの電源で行うと共に，端末側の電源供給器１０８からの電源は，出力端子３から入力端子２の電流通過回路２５を通過する。
次に，前記選択手段３０を出力端子側３０ｂに選択したときは，信号処理回路１０，増幅回路１７，１８への給電は，出力端子３に接続された伝送線１０５に重畳されてきた電源供給器１０８からの電源によって行う共に，出力端子３から入力端子２に電流通過する。
【００２７】
本発明の第２の実施例によれば，信号処理回路１０，増幅回路１７，１８への電源供給の方法を，外部電源供給端子４からか，若しくは出力端子３からかを選択できるのであり，既にテレビ受信用増幅装置１０４や衛星コンバーター１０３ａに電源供給しているシステムにおいては，オフセットビートキャンセラー１の信号処理回路１０，増幅回路１７，１８には外部電源供給端子４から電源供給をするよう選択手段３０を選択３０ａする。また，テレビ受信用増幅装置１０４等が無かったり，システムに給電する端末側の電源供給器１０８の電源容量に余裕があったりする場合は，出力端子３に接続された伝送線１０５に重畳させた電源から，信号処理回路１０，増幅回路１７，１８に電源供給するよう選択手段３０を選択３０ｂする，といった選択ができるので，汎用性の高い構成を備えたオフセットビートキャンセラー１を備えたテレビ受信システムが提供できるのである。
【００２８】
尚，本発明の選択手段３０は，スイッチを用いて構成しているが，例えば，上記選択手段３０の代わりに，外部電源供給端子４と避雷回路４ａとの間にダイオードを順方向に接続すると共に，出力端子と，上記ダイオードと避雷回路４ａとの相互接続点との間に，ダイオードを順方向に接続するように構成しても良い。この方法によれば，選択手段の選択をすることなく，電源供給器を接続した外部電源供給端子若しくは出力端子からの電源供給が自動的に行える。更に加えて，外部電源供給器から供給する電源電圧を，出力端子から供給される電源電圧より僅かに高くなるように構成しておけば，例えば既設の受信システムに，上記信号処理装置を介設したときに，端末側の電源供給器１０８が不足する場合でも，外部電源供給器に電源供給器を備えさせて電源供給すれば良く，上記選択手段３０の切り換えも必要としないテレビ受信システムとなる。
【００２９】
図１は本発明の信号処理装置の例を示す外観図を示す。この実施例においては，上記実施例における伝送経路，増幅回路等の各ブロックは，ケース本体５１に収納され，当該ケース本体５１は筐体５０に収納されている。
当該筐体５０の取付け面を底面５０ａとすると，上記ケース本体５１の前面５１ａには入力端子２，電源供給端子４，出力端子３がまとめて配置されている。また，ケース本体５１の上面側であって，上記前面５１ａと接する部分には，表示板５２が備えさせてあり，上記利得調整回路１７ｃ，切替手段３０等の操作部が表出するように形成されていると共に，この表示板には上記操作部の説明等が表示されている。
筐体５０には，上記表示板と対向させるように，開閉自在に構成された蓋体５３が設けられており，同軸ケーブルの配線や各部の調整時には，作業を容易にすると共に，接続端子と操作手段等を筐体の一方向にまとめて配置させたので，防水・防塵に対しても良好な構造である。更に加えて，入力端子を一方向寄りに，出力端子を他方向寄りに配置すると共に，入力端子と出力端子との間に電源供給端子を備えさせたので，高周波回路の配置，信号処理回路の配置，直流回路の配置が最適化された構成となっている。
【００３０】
尚，本発明は上記実施の形態に限定されるものではなく，本発明の趣旨を逸脱しない範囲で各部の構成等を適宜に変更して実施することも可能である。
【００３１】
【発明の効果】
以上詳述したように，請求項１の発明によれば，取付け側を底面とした場合，ケースの一側面に複数の端子を備えた信号処理装置において，上記側面における長手方向の一方側には入力端子を，他方側には出力端子を，上記入力端子と出力端子との間には電源供給端子を配置すると共に，上記信号処理装置への電源供給は，上記電源供給端子を通して外部からの電源供給によって行うように構成したので，既に敷設してあるテレビ受信システム等に，当該テレビ受信システムの同軸ケーブルの配線や，テレビ受信用増幅装置を動作させている電源の容量等に影響与えることに無い，取付性，利便性の高い信号処理装置を提供できる。
【００３２】
請求項２の発明によれば，上記信号処理装置への電源供給は，上記電源供給端子からか，上記出力端子からかを，選択手段を用いて選択自在にするよう構成したので，既に敷設してあるテレビ受信システムに，上記信号処理装置を介設する場合においても，上記信号処理装置は同軸ケーブルに重畳された電源を，出力端子から取り入れて動作させるよう選択手段を備えさせたので，より汎用性の高い信号処理装置を提供できる。
【００３３】
請求項３の発明によれば，上記信号処理装置には，出力端子と入力端子との間に電流通過回路を備えたので，既に敷設してあるテレビ受信システムであって，テレビ受信用増幅装置ばかりでなく，衛星アンテナ等が備えさせてあるシステムにおいても，上記信号処理装置を介して，同軸ケーブルに重畳された電源を，上記テレビ受信用増幅装置や衛星アンテナに向けて通過できるので，更に多様なシステムに対応可能な汎用性の高い信号処理装置を提供できる。
【００３４】
請求項４の発明によれば，上記信号処理装置の，入力端子，出力端子，及び電源供給端子は，Ｆ型コネクターであるように構成したので，高周波特性が良く，更に，イミュニティーの優れた信号処理装置を提供できる。
【００３５】
請求項５の発明によれば，上記信号処理装置はオフセットビートキャンセラーであるように構成したので，例えば既に敷設されたテレビ受信システムがある地域において，新しく始まる地上波デジタル放送によるオフセットビート妨害が発生するような場合であっても，本願のオフセットビートキャンセラーを既設のテレビ受信システムに介設するだけで，簡単にオフセットビート妨害の対策ができる，取付け性の容易なオフセットビートキャンセラーを提供できる。
【図面の簡単な説明】
【図１】本発明における信号処理装置の実施例の外観図である。
【図２】本発明の信号処理装置の実施例を示すブロック図及び端子の配置を示す図。
【図３】本願の実施例の信号処理装置を用いたシステム例を示す。
【図４】本発明の信号処理装置を用いた他のシステム例を示す。
【図５】本発明の信号処理装置の，他の実施例を示すブロック図及び端子の配置を示す図。
【符号の説明】
１…信号処理装置，２…入力端子，３…出力端子，４…外部電源供給端子，４ａ…避雷回路，１０…信号処理回路，１１…電源フィルター，１２…電源フィルター，１３…ローパスフィルター，１４…分配器，１５…ＶＨＦ・ＵＨＦ帯の信号パス回路，１６…混合器，１７…増幅回路，１７ａ，１７ｂ…増幅器，１７ｃ…利得調整回路，１８…増幅回路，１９…ローパスフィルター，２０…ハイパスフィルター，２１…ＢＳ・ＣＳ−ＩＦ帯の信号のパス回路，２２…ハイパスフィルター，２５…電流通過回路，３０…選択手段，３０ａ…外部電源供給端子側，５０…筐体，５０ａ…底面，５１…ケース本体，５１ａ・・・前面，５２…表示板，５３…蓋体，１００…受信システム，１０１…ＶＨＦアンテナ，１０２…ＵＨＦアンテナ，１０２ａ…同軸ケーブル，１０３…ＢＳ・ＣＳ衛星アンテナ，１０３ａ…衛星コンバーター，１０４…テレビ受信用増幅装置，１０５…伝送線，１０６…分配器，１０７…テレビ端子，１０８…電源供給器，１０９…分波器，１１０…テレビ受像機，１１１…ＢＳ・ＣＳチューナ，１１５…電源装置，１１６…同軸ケーブル，１２０…システム。
【図１】
2004336257.tif 000003
【図２】
2004336257.tif 000004
【図３】
2004336257.tif 000005
【図４】
2004336257.tif 000006
【図５】
2004336257.tif 000007